(57)【要約】【課題】  画像選択画面において複数画像の選択操作を容易に行う。  【解決手段】  画像選択画面ＳＣ１上に、選択可能な画像のサムネイルＰ１，Ｐ２，Ｐ３と、実行ボタンＢＴ１およびＢＴ２が表示されている。サムネイルＰ１の位置でタッチパネルに指で触れ、タッチパネルに接触したままで、指をスライドさせ、そして、指をタッチパネルから離す。タッチパネルに指が触れたタッチ位置から指をタッチパネルから離すリリース位置までの指示位置の変化の軌跡に重なって表示されているサムネイルＰ１およびＰ２が選択される。これらのサムネイルＰ１およびＰ２が選択されたことを示す表示がなされる。次に、スライドショーを開始する場合では、実行ボタンＢＴ１が押され、２枚のサムネイルまたはサムネイルにそれぞれ対応する画像が順番に表示される。【選択図】  図１
2005092386.tif 000002
【特許請求の範囲】
【請求項１】
画面上に複数の画像が同時に表示された選択画面において複数の画像を選択する画像選択装置において、
座標指示装置と表示装置とが処理装置に対して接続され、上記処理装置から上記表示装置に対して選択画面の画像信号が供給され、上記座標指示装置からの操作信号および座標信号が上記処理装置に入力され、
上記座標指示装置によって所望の画像の選択を指示する操作と、上記所望の画像の選択を指示した操作を保持しながら指示位置を連続的に変化させる操作と、上記操作をリリースする操作とに対応した操作信号および座標信号とが上記処理装置に入力され、
上記所望の画像を選択してから上記操作がリリースされるまでの位置の変化の軌跡と重なる１または複数の他の画像が選択されたものと判断されるようにした画像選択装置。
【請求項２】
請求項１において、
上記座標指示装置が上記表示装置の画面上に積層されたタッチパネルであり、
指またはタッチペンが上記タッチパネルに触れたままでスライドされ、上記指またはタッチペンが上記タッチパネルから離されるまでの軌跡と重なる１または複数の他の画像の選択が指示されるようにした画像選択装置。
【請求項３】
請求項１において、
上記座標指示装置がマウスであり、
上記マウスの左ボタンが押されたままで、上記マウスがスライドされ、上記左ボタンが離されるまでの軌跡と重なる１または複数の他の画像の選択が指示されるようにした画像選択装置。
【請求項４】
画面上に複数の画像が同時に表示された画像選択画面において複数の画像を選択する画像選択方法において、
座標指示装置によって所望の画像の選択を指示する第１の操作ステップと、
上記所望の画像の選択を指示した操作を保持しながら指示位置を連続的に変化させる第２の操作ステップと、
上記操作をリリースする第３の操作ステップと、
上記所望の画像を選択してから上記第３の操作ステップまでの位置の変化の軌跡と重なる１または複数の他の画像の選択を指示するステップと
からなる画像選択方法。
【請求項５】
請求項４において、
上記座標指示装置が上記表示装置の画面上に積層されたタッチパネルであり、
指またはタッチペンが上記タッチパネルに触れたままでスライドされ、上記指またはタッチペンが上記タッチパネルから離されるまでの軌跡と重なる１または複数の他の画像の選択が指示される画像選択方法。
【請求項６】
請求項４において、
上記座標指示装置がマウスであり、
上記マウスの左ボタンが押されたままで、上記マウスがスライドされ、上記左ボタンが離されるまでの軌跡と重なる１または複数の他の画像の選択が指示される画像選択方法。
【発明の詳細な説明】
【技術分野】
【０００１】
この発明は、ディスプレイ上に表示されている複数の画像の内で所望の画像、特に、複数の所望の画像を選択する画像選択装置および画像選択方法に関する。
【背景技術】
【０００２】
従来、ディジタル放送受信機として、大型のスクリーンを有するディスプレイ本体と別に小型のディスプレイを有する補助入出力装置を設け、ディスプレイ本体と補助入出力装置とが無線で接続された構成が下記の特許文献１に記載されている。特許文献１に記載の装置は、補助入出力装置がスクリーン上にタッチパネルが配された構成とされ、電子番組表を補助入出力装置上に表示し、所望の番組を選択したり、所望の番組の録画予約を行う操作を補助入出力装置のタッチパネルを通じて行うものである。
【０００３】
【特許文献１】特開２００１−２０３９０８号公報
【０００４】
また、従来のパーソナルコンピュータでは、画像ファイルのデータのイメージを小さく表示した縮小画像（以下、サムネイルと称する）を一覧表示し、画像ファイルを選択することがなされている。また、プレゼンテーションソフトウェア、グラフィックスソフトウェア等では、複数の画像をディスプレイ上に次々と表示していくスライドショーの機能や、例えば２枚の画像を一度に表示する分割表示の機能が備えられている。スライドショーや、分割表示に使用する複数の画像は、予めサムネイルの一覧表示の中から選ばれる。また、指定したホルダーに画像を入れる時、メールソフトウェアで送る画像を指定する時等でもサムネイルの一覧表示上の選択操作がなされる。
【０００５】
従来では、サムネイルの一覧表示上において、マウスを使用して複数の画像を選択する場合は、シフトキーを押しながら画像を次々とクリックする操作がなされる。あるいはループと称される道具を使用し、選択したい画像の周りをカーソルを移動させて取り囲むという操作がなされる。
【発明の開示】
【発明が解決しようとする課題】
【０００６】
しかしながら、従来の複数の画像を選択する操作は、円滑に選択操作を行うことができない問題があった。すなわち、シフトキーを押しながら画像を次々とクリックする操作は、シフトキーを押すことに気がつかない人が多く、また、マウス操作に慣れていないと、２つの操作を一度に行うことが困難な人が多い。
【０００７】
また、ループと称される道具を使用し、選択したい画像の周りを取り囲むという操作は、ループの機能を予め理解していないと、操作方法が判らない問題点がある。さらに、ループを用いる方法をタッチパネルに適用しようとすると、画像を囲むのに画面上に指でループを描くための空きスペースが必要とされる問題点、画面上にループで画像を囲むのに必要な空きスペースが狭い場合に、ループを描く操作が困難となる問題点がある。
【０００８】
従って、この発明の目的は、従来の問題点を解決し、簡単で感覚的に分かり易い画像選択装置および画像選択方法を提供することにある。
【課題を解決するための手段】
【０００９】
上述した課題を達成するために、この発明は、画面上に複数の画像が同時に表示された選択画面において複数の画像を選択する画像選択装置において、
座標指示装置と表示装置とが処理装置に対して接続され、処理装置から表示装置に対して選択画面の画像信号が供給され、座標指示装置からの操作信号および座標信号が処理装置に入力され、
座標指示装置によって所望の画像の選択を指示する操作と、所望の画像の選択を指示した操作を保持しながら指示位置を連続的に変化させる操作と、操作をリリースする操作とに対応した操作信号および座標信号とが処理装置に入力され、
所望の画像を選択してから操作がリリースされるまでの位置の変化の軌跡と重なる１または複数の他の画像が選択されたものと判断されるようにした画像選択装置である。
【００１０】
また、この発明は、画面上に複数の画像が同時に表示された画像選択画面において複数の画像を選択する画像選択方法において、
座標指示装置によって所望の画像の選択を指示する第１の操作ステップと、
所望の画像の選択を指示した操作を保持しながら指示位置を連続的に変化させる第２の操作ステップと、
操作をリリースする第３の操作ステップと、
所望の画像を選択してから第３の操作ステップまでの位置の変化の軌跡と重なる１または複数の他の画像の選択を指示するステップと
からなる画像選択方法である。
【発明の効果】
【００１１】
この発明に依れば、二つの操作を同時に行う必要がないので、操作に慣れていない人でも容易に画像選択を行うことができる。また、ループを使用するのと相違し、画像選択画面に画像の周辺に空きスペースを設けることを考慮しないで良い。
【発明を実施するための最良の形態】
【００１２】
この発明について、図１を参照して概略的に説明する。図１において参照符号ＳＣ１は、タッチパネルがディスプレイのスクリーン上に被覆されたタッチパネルディスプレイに表示された画像選択画面を示す。例えば選択可能な画像のサムネイルＰ１，Ｐ２，Ｐ３と、実行ボタンＢＴ１およびＢＴ２が画像選択画面ＳＣ１上に表示されている。実行ボタンＢＴ１は、スライドショーを実行するためのボタンであり、実行ボタンＢＴ２は、分割表示を実行するためのボタンである。
【００１３】
一例として、表示されている３枚の画像中でサムネイルＰ１およびＰ２を選択する際の操作方法を説明する。例えばタッチパネル上のサムネイルＰ１の位置で指またはタッチペン（以下、指としか述べないが、タッチペンを指の代わりに使用しても良い）で触れ、タッチパネルに接触したままで、タッチパネル上をなぞるように指をスライドさせ、そして、指をタッチパネルから離す。
【００１４】
タッチパネルに指が触れたタッチ位置から、タッチパネルから指を離すリリース位置までの一連の操作で描かれた指示位置の軌跡に重なるサムネイルＰ１およびＰ２が選択される。これらのサムネイルＰ１およびＰ２が選択されたことを示す表示がなされる。例えば画像選択画面ＳＣ１において、選択されたサムネイルＰ１およびＰ２の枠がフォーカスされる。フォーカス以外に、ハイライト表示、反転表示、色彩の変化、ブリンク等で選択されたことを示すようにしても良い。次に、スライドショーの実行ボタンＢＴ１を押す。
【００１５】
実行ボタンＢＴ１が押されると、画面がスライドショーの画面ＳＣ２へ遷移する。画面ＳＣ２には、最初に選択されたサムネイルＰ１が画面全体に拡大された画像Ｐ１１が表示される。所定時間後に次に選択されたサムネイルＰ２が拡大されて表示される。図示しないが、リピートボタンを設けてリピート動作とすれば、サムネイルＰ１１およびサムネイルＰ２の拡大画像が繰り返し表示される。
【００１６】
上述した操作と同様に、サムネイルＰ１およびＰ２が選択された後に、実行ボタンＢＴ２押されると、分割表示がなされる。図１に示すように、拡大されたサムネイルＰ２１と拡大されたサムネイルＰ２２が左右に配置された分割表示画面ＳＣ３が表示される。
【００１７】
なお、図１では、選択されたサムネイルの拡大画像を表示しているが、選択されたサムネイルに対応するより画素数の多い静止画像、または選択されたサムネイルに対応する動画像を表示するようにしても良い。さらに、この発明では、後述するように、タッチパネルディスプレイに限らず、マウス等のポインティングデバイスを使用する場合に対しても適用できる。
【００１８】
図２は、表示および座標指示入力装置としての機能を有するタッチパネルディスプレイに対してこの発明を適用した一実施形態の全体的構成を示す。参照符号１が処理装置を示し、処理装置１に対してタッチパネルディスプレイ２が接続されている。タッチパネルディスプレイ２は、タッチパネル３ａがディスプレイ例えばＬＣＤ（Liquid Crystal Display)３ｂ上に積層された構成とされている。タッチパネル３ａが透明なものであり、ＬＣ
Ｄ３ｂの表示画像をタッチパネル３ａを通じて見ることが可能とされている。
【００１９】
タッチパネル３ａの具体的構成としては、接触圧力が加わった位置を検出する感圧式のもの、および接触を静電容量の変化として検出する静電式の何れの方式のものを使用しても良い。さらに、赤外線発光ダイオードとフォトトランジスタからなるセンサーを多数設けた赤外線検出方式のタッチパネルを使用することもできる。
【００２０】
処理装置１は、ＣＰＵ(Central Processing Unit)、画像処理マイクロコンピュータ、
内部メモリ、リムーバブルメモリ例えばメモリカードのインターフェース、ＸＹ座標検知部、サムネイル出力部等から構成されている。内部メモリまたは装着されたリムーバブルメモリには、複数の静止画像または複数の動画像が格納されている。画像処理マイコンが複数の静止画像または複数の動画像から複数のサムネイル（例えば静止画像）を作成する。動画像の場合では、先頭のシーン等の特定の静止画像が作成される。また、メモリカード等では、フォーマットとして格納されている静止画像のサムネイルが記録されている場合がある。その場合では、メモリカード上のサムネイルが利用される。複数のサムネイルがタッチパネルディスプレイ２のＬＣＤ３ｂの画面上に分割表示される。
【００２１】
タッチパネル３ａ上で指が触れている間、触れている位置に対応した座標信号が処理装置１に入力され、座標信号がＸＹ座標検知部によってデコードされ、ＸＹ位置データが生成される。さらに、タッチパネル３ａに指を触れた時にタッチ信号が処理装置１に対して与えられ、タッチパネル３ａから指を離した時にリリース信号が処理装置１に対して与えられる。処理装置１のＣＰＵがこれらのＸＹ位置データ、タッチ信号、リリース信号を受け取り、プログラムに基づいてＬＣＤ３ｂの表示等を制御する。
【００２２】
図３は、この発明の一実施形態における操作方法、並びに処理装置１のＣＰＵによってなされる制御動作の処理を示す。画像選択画面がＬＣＤ３ｂに表示され、処理装置１が画像選択操作を待っている状態とされる。ステップＳ１において、タッチパネルディスプレイ２に表示された複数のサムネイルの内で所望のサムネイルに触れる。その結果、タッチ信号および座標信号がタッチパネル３ａから処理装置１に供給される。座標信号から所望の一つのサムネイルが選択されたと判定される（ステップＳ２）。
【００２３】
次のステップＳ３において、次の画像を選択するかどうかが決定される。次の画像を選択する場合には、指をタッチパネル３ａに触れたままで次のサムネイルの表示位置に指示位置をスライドさせる（ステップＳ４）。それによって、次のサムネイルが選択される（ステップＳ２）。そして、再び判定のステップＳ３に処理が移る。若し、ステップＳ３において、次の画像を選択しないと決定すると、ステップＳ５において、タッチパネル３ａから指が離される（リリース操作）。そして、複数画像選択が終了し、スライドショー、分割表示、メールで送信、指定したホルダーに入れる等の機能の実行を待つ状態となる（ステップＳ６）。
【００２４】
このように、タッチパネル３ａにタッチし、タッチした状態を保持したままで指を次のサムネイル上の位置までスライドさせ、そして、指を離す。タッチしてから指を離すリリース操作がなされるまでの一連の動作の指示位置の変化の軌跡と重なる複数のサムネイルが選択される。
【００２５】
なお、図３では、理解を容易とするために、処理装置１における処理と、ユーザの操作とを混在して示している。処理装置１における処理のみに注目すると、ステップＳ１のタッチ操作がステップＳ２の画像の選択を意味するものと処理装置１が解釈する。また、ステップＳ４の操作がステップＳ３において、次の画像を選択するものとが処理装置１が判断し、ステップＳ５の操作がステップＳ３において、次の画像を選択しないものとが処理装置１が判断する。
【００２６】
図４は、この発明の他の実施形態の全体的構成を示す。処理装置１１は、一実施形態と同様に、ＣＰＵ、画像処理マイクロコンピュータ、内部メモリ、リムーバブルメモリのインターフェース、ＸＹ座標検知部、サムネイル出力部等から構成されている。内部メモリまたは装着されたリムーバブルメモリに格納されている、複数の静止画像または複数の動画像から画像処理マイコンが複数のサムネイル（例えば静止画像）を作成する。作成された複数のサムネイルがＣＲＴ(Cathode Ray Tube)、ＬＣＤ等のディスプレイ１３の画面上に分割表示される。
【００２７】
処理装置１１に対して入力装置１２からの操作信号および座標信号が供給される。入力装置１２は、マウス、トラックボール等の所謂ポインティングデバイスである。以下の説明では、入力装置１２がマウスとし、マウスの移動操作に対応して画面上でカーソルが動くものとする。
【００２８】
図５は、この発明の他の実施形態における操作方法、並びに処理装置１１のＣＰＵによってなされる制御動作の処理を示す。画像選択画面がディスプレイ１３に表示され、処理装置１１が画像選択操作を待っている状態とされる。ステップＳ１１において、ディスプレイ１３に表示された複数のサムネイルの内で、左ボタンを押しながら所望の画像を指定する。その結果、左ボタン信号および座標信号が処理装置１１に供給される。座標信号から所望の一つのサムネイルが選択されたと判定される（ステップＳ１２）。
【００２９】
次のステップＳ１３において、次の画像を選択するかどうかが決定される。次の画像を選択する場合には、マウスの左ボタンを押した操作を保持したままで次のサムネイルにスライドさせる（ステップＳ１４）。それによって、次のサムネイルが選択される（ステップＳ１２）。そして、再び判定のステップＳ１３に処理が移る。若し、ステップＳ１３において、次の画像を選択しないと決定すると、ステップＳ１５において、マウスの左ボタンから指が外される（リリース操作）。そして、複数画像選択が終了し、スライドショー、分割表示、メールで送信、指定したホルダーに入れる等の機能の実行を待つ状態となる（ステップＳ１６）。
【００３０】
このように、マウスの左ボタンを押し、左ボタンを押した操作を保持してカーソルを次のサムネイルの位置までスライドさせ、そして、左ボタンから指を外す。左ボタンを押す操作から左ボタンを離すリリース操作がなされるまでの一連の動作の指示位置の変化の軌跡と重なる複数のサムネイルが選択される。
【００３１】
なお、図５では、理解を容易とするために、処理装置１１における処理と、ユーザの操作とを混在して示している。処理装置１１における処理のみに注目すると、ステップＳ１１の左ボタンを押す操作がステップＳ１２の画像の選択を意味するものと処理装置１１が解釈する。また、ステップＳ１４の操作がステップＳ１３において、次の画像を選択するものとが処理装置１１が判断し、ステップＳ１５の操作がステップＳ１３において、次の画像を選択しないものとが処理装置１１が判断する。
【００３２】
この発明は、上述したこの発明の一実施形態等に限定されるものではなく、この発明の要旨を逸脱しない範囲内で様々な変形や応用が可能である。
【図面の簡単な説明】
【００３３】
【図１】この発明の説明のための略線図である。
【図２】この発明の一実施形態の全体的構成を示すブロック図である。
【図３】この発明の一実施形態における操作および処理の流れを説明するためのフローチャートである。
【図４】この発明の他の実施形態の全体的構成を示すブロック図である。
【図５】この発明の他の実施形態における操作および処理の流れを説明するためのフローチャートである。
【００３４】
Ｐ１，Ｐ２，Ｐ３  サムネイル
ＢＴ１，ＢＴ２    実行ボタン
１                処理装置
２                タッチパネルディスプレイ
３ａ              タッチパネル
３ｂ              ＬＣＤ
１１              処理装置
１２              入力装置
１３              ディスプレイ
【図１】
2005092386.tif 000003
【図２】
2005092386.tif 000004
【図３】
2005092386.tif 000005
【図４】
2005092386.tif 000006
【図５】
2005092386.tif 000007